(57)【要約】 【課題】  第２表示体の表示面に対して第１表示体の移動範囲を広げることが出来ると共に、第１表示体自体も自転可能にし、遊技者への視覚上のアピール度を高めること。【解決手段】  シンボルを組み合わせることができる第１表示体及び第２表示体と、これらの表示体の少なくとも一方を駆動回転させ得るように支持部材に取付けられた駆動手段とを備えた遊技機用シンボル表示装置に於いて、前記第２表示体の第２表示面は、前記第１表示体の第１表示面の外周端から露呈し、偏心回転機構を構成する公転用駆動モータが駆動すると、第１表示体は第２表示体の前記第２表示面に対して公転し得ると共に、自転用駆動モータが駆動すると自転し得ること。【選択図】  図４
2006305069.tif 000002
【特許請求の範囲】
【請求項１】
シンボルを組み合わせることができる第１表示体及び第２表示体と、これらの表示体の少なくとも一方を駆動回転させ得るように支持部材に取付けられた駆動手段とを備えた遊技機用シンボル表示装置に於いて、前記第２表示体の第２表示面は、前記第１表示体の第１表示面の外周端から露呈し、偏心回転機構を構成する公転用駆動モータが駆動すると、第１表示体は第２表示体の前記第２表示面に対して公転し得ると共に、自転用駆動モータが駆動すると自転し得ることを特徴とする遊技機用シンボル表示装置。
【請求項２】
請求項１に於いて、支持部材には、偏心回転機構を構成する偏心回転用回転板が設けられ、該回転板の偏心位置に自転用駆動モータが固定されていることを特徴とする遊技機用シンボル表示装置。
【請求項３】
請求項１に於いて、表示装置は照明手段を備え、また、偏心回転機構を構成する偏心回転用回転板には、連結手段を介して第１表示体と第２表示面の間に位置し、かつ、第１表示体と同時に回転する照明対策用隠し板が配設されていることを特徴とする遊技機用シンボル表示装置。
【請求項４】
請求項１に於いて、偏心回転機構を構成する各部材は、一つのベース支持部材の前面側と裏面側にそれぞれユニット的に設けられていることを特徴とする遊技機用シンボル表示装置。
【請求項５】
複数個の表示体と、これらの表示体の少なくとも一方の表示体のシンボルを流動表示し得る駆動手段とを備えた遊技機用シンボル表示装置に於いて、前記表示体は、大きい表示体と小さい表示体とから成り、前記小さい表示体の表示面は、公転用駆動手段の駆動力により前記大きい表示体の表示面に対して公転し、かつ、自転用駆動手段の駆動力により自転得ることを特徴とする遊技機用シンボル表示装置。
【請求項６】
請求項５に於いて、小さい表示体の中心は、常に公転用駆動モータ１２側の軸の中心線Ｏに対して偏心していると共に、大きい表示体の領域内で公転し、かつ、自転し得ることを特徴とする遊技機用の遊技機用シンボル表示装置。
【発明の詳細な説明】
【技術分野】
【０００１】
本発明は、遊技機用シンボル表示装置に関し、特に、可動の第１表示体と、固定又は可動の第２表体との組合せにより、入賞の有無、ゲームの続行、配当等を決めるのに利用され得る遊技機用シンボル表示装置に関する。
【背景技術】
【０００２】
特許文献１，２には、駆動手段、動力伝達手段、回転板を含むメダルプッシャ用偏心回転機構が開示されている。しかし、前記メダルプッシャは、遊技盤上に堆積した多数のコインを多方向に位置する落下部分に落すための部材である。
【０００３】
ここで、特許文献１，２と本発明の特徴部分とを比較すると、特許文献１，２のメダルプッシャは、多数のコインを多方向に落下させる手段であるのに対し、本発明の可動表示体は、組合せ用のシンボルを表示する手段である。
【０００４】
また、特許文献１，２のメダルプッシャは、偏心回転機構を構成する一つの駆動モータの駆動力によりに自転すると共に同時に偏心回転するのに対し、本発明の可動表示体用の偏心回転機構を構成する公転用駆動モータと、前記可動表示体を自転させる自転用駆動モータとは全く別個・独立である。
【０００５】
すなわち、本発明の可動表示体は、公転用駆動モータの駆動力により公転し得ると共に、該駆動モータとは別個・独立の自転用駆動モータの駆動力により自転し得る。つまり、本発明の可動表示体は、発明の限定要件ではない遊技機の実行プログラム如何によっては、バラエティ（様々）に作動する。
【０００６】
一方、特許文献３は、本願発明と同様に遊技機用シンボル表示装置（用途同一）に関する。しかし、特許文献３の表示体は、第２表示体用のパイブ状外筒軸に第１表示体用の棒状中心軸を貫通状態に嵌挿しているから、第１表示体用の中心軸と第２表示体用の外筒軸は、共に表示体の中心軸である（互いに同軸上に組み合わせられている）。
【０００７】
したがって、特許文献３に記載の発明は、小さい第１表示体を大きい第２表示体の表示面に対して半径方向へ幅広く移動させることができないという問題点がある。また、各表示体は同軸上でそれぞれ回転するだけであるから、趣向性に欠けていた。それ故に、現在、小さい第１表示体の移動範囲、移動態様に関して改良すべき要望が出てきている。
【特許文献１】米国特許明細書第５２７５４０２号
【特許文献２】米国特許明細書第５６２２３６６号（特開平１０−１５２３７号）
【特許文献３】米国特許公開２００４／００１８８６６Ａ１（特開２００４−５７３７４号）
【発明の開示】
【発明が解決しようとする課題】
【０００８】
本発明の第１の目的は、特許文献に記載の問題点を解消し、遊技者への視覚上のアピール度を高めるために、公転用駆動モータと自転用駆動モータとを別個・独立に設け、可動する表示体の作動に変化をもたせることである。また、一実施例のように、例えば大きい表示体の表示面に対して小さい第１表示体の移動範囲を広げることが出来ることである。
【０００９】
本発明の第２の目的は、ゲームに対する期待感を高めるのに相応しいシンボル表示装置であること（プレイヤーに対して、いわゆる「ハラハラ」、「ドキドキ」させることが可能な装置であること）。第３の目的は、各構成部材を一つにユニット化し、筐体に簡単に組み込むことができることである。
【課題を解決するための手段】
【００１０】
本発明の遊技機用シンボル表示装置は、シンボルを組み合わせることができる第１表示体及び第２表示体と、これらの表示体の少なくとも一方を駆動回転させ得るように支持部材に取付けられた駆動手段とを備えた遊技機用シンボル表示装置に於いて、前記第２表示体の第２表示面は、前記第１表示体の第１表示面の外周端から露呈し、偏心回転機構を構成する公転用駆動モータが駆動すると、第１表示体は第２表示体の前記第２表示面に対して公転し得ると共に、自転用駆動モータが駆動すると自転し得ることを特徴とする。
【００１１】
また、本発明の遊技機用シンボル表示装置は、複数個の表示体と、これらの表示体の少なくとも一方の表示体のシンボルを流動表示し得る駆動手段とを備えた遊技機用シンボル表示装置に於いて、前記表示体は、大きい表示体と小さい表示体とから成り、前記小さい表示体の表示面は、公転用駆動手段の駆動力により前記大きい表示体の表示面に対して公転し、かつ、自転用駆動手段の駆動力により自転得ることを特徴とする（本実施例）。
【発明の効果】
【００１２】
（１）例えば大きい表示体の表示面に対して小さい第１表示体が「公転」、かつ、「自転」し得るから、遊技者への視覚上のアピール度を高めることができる。したがって、遊技機の実行プログラム如何によっては、バラエティ（様々）に作動する。なお、本実施例とは逆の場合、すなわち、小さい表示体の表示面に対して大きい表示体が「公転」、かつ、「自転」し得るように構成しても、公転用駆動モータと自転用駆動モータとを別個・独立であるならば、本実施例と同一の目的を達成することができ、また、同一の作用・効果を得ることができる。
（２）本実施例の場合、小さい第１表示体が大きい表示体の領域内で公転し、かつ、自転し得るから、第１表示体が完全に停止するまで、ゲームの入賞や配当に関する期待感を高まり、遊技者を、いわゆる「ハラハラ」、「ドキドキ」させることが可能である。
（３）照明手段を含む実施例の場合には、可動表示体の公転時に照明が当たるから、趣向性に富む。但し、照明手段を限定するものではない。
（４）照明対策用隠し板を含む実施例の場合には、公転時、照明手段の照明は、可動表示体（実施例では第１表示面８）のみに当たるから、非常に見栄えが良い。但し、照明対策用隠し板を限定するものではない。
（５）その他筐体に対する組み付けが簡単である。したがって、製作の作業能率の向上を図ることができる。
【発明を実施するための最良の形態】
【００１３】
以下、図１乃至図７に示す本発明を実施するための最良の形態（ここでは「第１実施例」という。）により説明する。
【００１４】
（１）発明の実施の環境―図１
図１は発明の実施の環境を示す概略説明図である。図１に於いて、Ｘは遊技機の一例（スロットマシン）である。１は筐体で、この筐体１の上部側に遊技機用シンボル表示装置Ｙが適宜にセットされる。なお、本発明の特定要件には関係のない事項であるが、遊技機Ｘは、番号を付さないコイン受け皿、操作パネル、マトリックス状の表示窓、操作レバーなどゲームを実行するたに必要な部材を備えている。また、本発明の細部的な事項については、極力、説明を割愛する。
【００１５】
（２）支持部材２
２は遊技機Ｘの筺体１内に固定される１つの大きな支持部材である。この支持部材２は、図３で示すように、矩形状に形成された幅広の垂直板２ａと、この垂直板２ａの端部をそれぞれ折り曲げて形成した左右の端板部２ｂと、これらの端板部２ｂの下端にそれぞれ交差するように固定された取り付けベース板２ｃとから成る。
【００１６】
この支持部材２は、ユニット形成用の支持板やセンサー用取付け片に対してベースとなる部材（ベース支持部材）である。したがって、特に符号を付さないが、固着具用の取付け孔が適宜に形成されている。なお、固定手段（固着具、ネジ孔、溶着など）の具体的な説明は割愛する。支持部材２は、本実施例では、端面チャンネルであるが、形状や材質は特に限定するものではない。
【００１７】
ところで、前記垂直板２ａの中央部には、第１駆動モータ１２用の矩形状開口３が形成されている。また、該開口３の上側には中心軸用の軸孔４が形成されている。
【００１８】
（３）第１表示体５と挟持部材９
図２、図３で示すように、本実施例の小さい第１表示体５は、例えば円盤状に形成されていると共に、後述の複数個の駆動モータ１２，２１の駆動力により公転及び自転する。具体的には、第１表示体５の回転態様に関して、大きい第２表示体３１の単数又は複数個のシンボルを有する環状の第２表示面３７に対して、周方向に公転し、かつ、同時又は異なる時に自転可能である。
【００１９】
付言すると、円盤状の第１表示体５は、後述の偏心回転機構１１を構成する第１駆動モータ１２の駆動力により回転する。この第１駆動モータ１２は、第１表示体５を第２表示体３１に対して公転させるための駆動源であることから、以下、これを「公転用駆動モータ」という。
【００２０】
本実施例の第１表示体５は、公転用駆動モータ１２の駆動軸１４と共に動力伝達手段１９を介して回転する中心軸（軸）１５の中心線Ｏ（図４）に対し、支持部材２の前方に垂直状態に設けられた偏心回転用回転板１８を介して第２表示体の前面を公転する。
【００２１】
さらに、第１表示体５は、前記回転板１８に配設された別個・独立の第２駆動モータ２１の駆動力により回転する。第２駆動モータ２１は、第１表示体５を第２表示体３１に対して自転させるための駆動源であることから、以下、これを「自転用駆動モータ」という。
【００２２】
公転用駆動モータ１２と自転用駆動モータ２１とは別個独立の駆動源であるから、各駆動モータ１２，２１に対する制御手段３９の実行プログラム４０ａの指令（ゲーム内容）如何により、第１表示体５は、第２表示体３１に対して公転しながら自転し、或いは公転した後に第２表示体３１の前面で自転、或いは第２表示体３１の前面で自転した後に第２表示体３１に対して公転可能である。
【００２３】
さて、第１表示体５の構成に関して、この第１表示体５の縁部は円形である。ここでの「縁部の円形」には、弧状部分をカットした多角形（例えば、五角形、六角形、八角形など）も含む。
【００２４】
また、第１表示体５は、挟持部材９に取付けるための中心孔６と、挟持部材９のキャップ９ａにカバーされる円形状中心部７と、挟持部材９のキャップ９ａの外周端から環状に突出するシンボル組合せ用第１表示面８を有する。
【００２５】
前記第１表示面８は、図２で示すように、例えば放射状に区分された複数個（例えば６個）のシンボル表示領域８ａ，８ｂ、８ｃ、８ｄ、８ｅ、８ｆを有している。シンボル表示領域の１つ１つには、配当や倍率に関する組合せ用数字、記号、模様、色彩、矢印などが付されている。もちろん、第１表示面８に表示領域を設けないで、単に組合せ用シンボルのみを表示しても良い。また、シンボルは「１個」でも良い。
【００２６】
前記挟持部材９は、本実施例では、第１表示体５の中央部７の前面に添設される小円盤状のキャップ９ａと、第１表示体５の後面から中心孔６を介してキャップ９ａに一体的に結合するフランジ９ｂとから成る。特に符号を付さないが、フランジ９ｂは中心部に貫通状の軸孔が形成されている。
【００２７】
（４）偏心回転機構１１
第１表示体５用の偏心回転機構１１を構成する各部材は、図示しない固着具を介して支持部材２の垂直板２ａにそれぞれ取付けられている。ここで、図３及び図４を参照にして偏心回転機構１１の構成部材を説明する。
【００２８】
まず、１２は垂直板２ａに開口３及びモータ用支持板１３を介して固定された公転用駆動モータで、この駆動モータ１２の駆動軸１４は、垂直板２ａの裏側に水平状態に突出している。モータ用支持板１３は、図３で示すように、中央部に開口を有するケース部分や左右にフラジ部分を有している。
【００２９】
次に、１５は前記駆動軸１４と共に回転するパイプ状の中心軸（軸）で、この中心軸１５は垂直板２ａの軸用孔４を介して駆動モータ１２の上方に水平状態に設けられている。図４で示すように、垂直板２ａの前面と背面には前後一対のベアリング１６ａを有する１組のホルダー部材１６が固定されている。
【００３０】
本実施例の中心軸１５は、中央部の大径部分と両端部の小径部分とを有し、ホルダー部材１６に回転自在に支持された状態で軸用孔４及び該ホルダー部材１６に貫通状態に嵌挿されている。
【００３１】
そして、前側のホルダー部材１６から突出する中心軸１５の先端部には、断面ハット型形状、キャップ状等の支持板１７が嵌合孔を介して固定されている。支持板１７の周端縁にはフランジ部分１７ａが周設され、該フランジ部分１７ａの前面に中心孔１８ａを有する偏心回転用回転板１８が固定されている。図４で示すように、中心軸１５の中心線Ｏは、偏心回転用回転板１８の中心孔１８ａを通る。
【００３２】
次に、１９は駆動軸１４及び中心軸１５にそれぞれ設けられた動力伝達手段である。減速機能を有する動力伝達手段１９は、本実施例では、駆動軸１４に固定された小さいプーリ１９ａと、中心軸１５の後端部側に設けられた大きいプーリ１９ｂと、これらに掛けられた伝達ベルト１９ｃとから構成されている。なお、動力伝達手段１９は、例えば歯車伝達機構を用いることもできる。
【００３３】
（５）自転用駆動モータ２１と第１表示体５
自転用駆動モータ２１は、偏心回転機構１１の中心軸１５を基準にすると、該中心軸１５に対して偏心するように回転板１８の前面に固定的に横設されている。したがって、自転用駆動モータ２１の駆動軸２２は、回転板１８の中心孔１８ａから離れている。
図４で示すように、第１表示体５は、駆動モータ２１の駆動軸２２の先端部に挟持部材９を介して取り付けられている。
【００３４】
（６）第２表示体
第２表示体３１の一例を説明する。この第２表示体３１は第１表示体５と同様に円盤状に形成されている。第２表示体３１の外周端は、円形又は多角形である。
【００３５】
さて、第２表示体３１が第１表示体５と主に異なる点は、第１表示体５よりも大きい点（図２）、ベースの支持部材２に固定されている点（図４）、第２表示体３１は複数個の部材から構成されている点（図５）である。
【００３６】
しかして、第２表示体３１は、第１表示体５の第１表示面８の周縁部から第２表示面３７が常に環状状態に露呈する環状前面板３２（図２）と、該前面板３２の裏側に固定されたフレーム構造の環状支持板３３と、該支持板３３に単数又は複数の反射板３４を介して取り付けられ、かつ、前記第２表示面３７に対して裏側から照射可能な単数又は複数個の照明手段３５とから成る。
【００３７】
ここで、各表示体５，３１の大きさ、或いは形状について説明する。板状の第１表示体８の外周端は円形又は多角形に形成され、また、第２表示体３１は中心開口３６すると共に、その円形又は多角形の外周端部は第１表示面から常に突出している。
【００３８】
ところで、図４で示すように、第２表示体３１は、中心軸１５の中心線Ｏを基準にすると、中心部に円形状開口３６を有する。この中心開口３６には、環状前面板３２に形成された中心開口３６ａと、支持板３３の内筒部分の中心開口３６ｂが含まれる。したがって、第２表示体３１の中心開口３６ａ，３６ｂの中心（中心軸１５の中心線Ｏと一致）を基準にした場合には、自転用駆動モータ２１及び駆動軸２２は、常に第２表示体３１の円形状開口３６内の偏心部分に位置している。
【００３９】
図５で示すように、第２表示体３１の環状前面板３２は、中心開口３６ａと、環状の第２表示面３７とを有している。本実施例の前面板３２の第２表示面３７の全部又は一部は透明であり、透明部分は照明手段３５から照射された光を第１表示体５側に透過する。なお、前面板３２が透明であることは、第１実施例の限定要件ではない。
【００４０】
自転用駆動モータ２１の駆動軸２２は、前記中心開口３６ａ内に於いて、時計方向又は反時計方向に回転可能である。また、第２表示面３７は、第１表示体５の第１表示面８と同様に、例えば放射状に区分された複数個（例えば６個）のシンボル表示領域３７ａ，３７ｂ、３７ｃ、３７ｄ、３７ｅ、３７ｆを有している。シンボル表示領域の１つ１つには、配当や倍率に関する組合せ用数字、記号、模様、色彩、矢印などが付されている。もちろん、第２表示面３７に表示領域を設けないで、単に組合せ用シンボルのみを表示しても良い。また、シンボルは単数でも良い。
【００４１】
ところで、支持板３３は、中心開口３６ｂを形成する内筒部分３３ａと、この内筒部分３３ａの外側に位置する外筒部分３３ｂと、該外筒部分３３ｂと前記内筒部分３３ａを放射状に連結する複数本のアーム部分３３ｃとから成る。また、扇状に形成された反射板３４は、第２表示面３７のシンボル表示領域の数（６枚）に対応し、前記アーム部分３３ｃに環状に固定されている。さらに、照明手段３５の一例としてのＬＥＤは、各反射板３４の前面に多数設けられている。
【００４２】
（７）制御手段３９
３９は公転用駆動モータ１２及び自転用駆動モータ２１をそれぞれ駆動制御する制御手段である。この制御手段３９は、遊技機Ｘの筐体１内に適宜に設けられている。もちろん、設計如何によっては、ベースの支持部材２の背面側に固定しても良い。
【００４３】
制御手段３９と電気的に接続する入力部、ゲームを実行するためのプログラム４０ａを格納した記憶部４０、公転及び自転用の位置検出部、出力部の具体的態様等は、発明を限定する要件ではないので、図面及び詳細な説明を割愛する。
【００４４】
ここで、制御手段３９の処理の一例（公転した後に自転する場合）を簡単に説明すると、制御手段３９は、記憶部４０に格納されている実行プログラム４０ａの指令に基づいて、まず、公転用駆動モータ１２を起動（公転）する。
次に、制御手段３９は公転用駆動モータ１２を停止し、所定の条件に合致した場合には、自転用駆動モータ２１を起動（自転）する。そして、制御手段３９は自転用駆動モータ２１を停止する。
【００４５】
また、他の例（公転しながら自転する場合）を簡単に説明すると、制御手段３９は、記憶部４０に格納されている実行プログラム４０ａの指令に基づいて、公転用駆動モータ１２と自転用駆動モータ２１を同時に起動し、次に、公転用駆動モータ１２を停止させ、最後に自転用駆動モータ２１を停止させる。
【００４６】
もちろん、モータ制御部を含む制御手段３９は、駆動手段（表示体が電子式表示器の場合には、モータ制御部に制御されるドライバーも含む）１２，２１を起動及び停止させる場合には、記憶部４０にアクセスして該記憶部４０から情報を取得し、かつ、乱数発生部、停止シンボル決定部、入賞決定部、公転及び自転位置検出部等の各情報に基づいて駆動源（駆動モータ、或いはドライバー）を制御しながら当該ゲームを実行する。
【００４７】
したがって、本発明の遊技機用の遊技機用シンボル表示装置は、大小の表示体（例えば機械的な可動の第１表示体、機械的な固定又は可動の第２表示体、又は電子式表示器の表示画面の第１表示部分及び第２表示部分）と、これらの表示体の小さい表示体のシンボルを流動表示（回転、又は擬似的回転）し得る駆動手段と、この駆動手段の駆動を制御する制御手段と、該制御手段に電気的に接続し、かつ、ゲームを実行するためのプログラム４０ａを格納した記憶部（ＲＡＭ，ＲＯＭ）４０とを備えている。
【００４８】
そして、前記小さい表示体５の表示面８は、公転用駆動手段（駆動モータ又はドライバー）１２の駆動力により大きい表示体（第２表示体）３１の表示面３７に対して公転し、かつ、自転用駆動手段（駆動モータ又はドライバー）２１の駆動力により大きい表示体３１の表示面３７のシンボルに対して自転し、公転及び自転を実行した小さい表示体（第１表示体）５の表示面８のシンボルと大きい表示体３１の表示面３７のシンボルとを組合せる。この組合せにより、例えば入賞の有無や得点の決定をする。本実施例では、得点の決定と同時に配当の表示もする。
【００４９】
上記構成に於いて、大きい表示体３１の表示面３７は、小さい表示体５の表示面８よりも大きく形成され、また、一方の表示体５の中心は、常に公転用駆動モータ１２側の軸の中心線Ｏ（例えば中心軸１５の中心）に対して偏心していると共に、他方の表示体３１の領域内で公転し、かつ、自転し得る。
【００５０】
なお、本実施例では、小さい表示体の表示面は、公転用駆動手段の駆動力により前記大きい表示体の表示面に対して公転し、かつ、自転用駆動手段の駆動力により自転得る構成であるが、発明の効果の欄で説明したように逆のパターンであっても良い。
【００５１】
（８）回転位置検出手段
図６を参照して、公転用の回転位置検出手段４１と、自転用の回転位置検出手段４２の取付け箇所を説明する。回転板１８及び第１表示体５に関する回転位置検出手段（取付け板、センサー、インデックス）は、従来技術と同様の構成である。もちろん、回転位置検出手段には新規性を有するもの含まれる。
【００５２】
まず、回転板１８用の回転位置検出手段４１を構成するセンサー４１ａは、支持部材２の垂直板２ａの上部に取付け片４３を介して配設されている。一方、インデックス４１ｂは、回転板１８の周端部の裏側に適宜に固定されている。
【００５３】
次に、第１表示体５の回転位置検出手段４２を構成するセンサー４２ａは、第２表示体３１の中央部開口３６内に位置するように自転用駆動モータ２１の外側（照明手段側）の側壁に基端部を固定した取付け片４４を介して配設されている。
【００５４】
一方、インデックス４２ｂは、第１表示体５の裏側に適宜に固定されている。本実施例のように、支持部材２の垂直板２ａの上部や駆動モータ２１の外側に取付け片４３，４４を介して回転位置検出手段４１，４２をそれぞれ配設すると、検出手段の取付け作業が容易であると共に、回転位置信号を確実に検出することができる。
【００５５】
（９）シンボルの組合せ
図２は、第１表示体５と第２表示体３１の各表示面８，３７のシンボルの組合せの一例を示す。もちろん、このシンボルの組合に限定するものではない。
本発明の遊技機用シンボル表示装置Ｙは、図１で示すように、遊技機Ｘの上部に設け、サブゲームとして実行することができると共に、メインゲームとして実行することもできる。
【００５６】
この実施例では、表示面８，３７の各シンボル表示領域８ａ，８ｂ…、３７ａ，３７ｂ…に配当の倍率に関するシンボル（数字、符号）が付されている。
【００５７】
そこで、ゲームの組合せ態様に関して、例えば遊技機Ｘでメインゲームを実行し、所定の入賞が得られた時に、本発明の表示装置Ｙを起動する。
【００５８】
例えば表示装置Ｙの駆動モータ１２，２１が同時に起動すると、前述したように、小さい第１表示体５は大きい第２表示体３１の第２表示面３７に対して、周方向に公転しながら同時に自転する（図７参照）。この場合に於いて、駆動モータ１２の起動に遅れて駆動モータ２１が起動しても、駆動モータ１２が駆動している限り、「同時」に含まれる。
【００５９】
また、第２表示体３１の照明手段３５の点灯或いは点滅は、例えば第２表示体３１の前面（或いは上面）を第１表示体５が作動している間に実行する。図２は、第１表示体５が停止した場合の一例を示す。この例に於いて、例えば第２表示体３１の第２表示面３７の「×３０」のシンボル３７ｅに対してのみ、照明手段３５の点灯或いは点滅すると、該シンボル３７ｅと第１表示体５の第１表示面８の「符号、１０００」のシンボル８ａとの組合せが、当該ゲームの配当として決定する。
【００６０】
したがって、配当は「１５０，０００点」である。このように第１表示体５の第１表示面８のシンボルと第２表示体３１の第２表示面３７のシンボルとを組み合わせて、高い配当を得ることが可能となる。
【００６１】
（１０）第２実施例
図８乃至図１１を参照にして、第２実施例を説明する。なお、第２実施例の説明に当たって、第１実施例と同一の構成部分には、同一又は同様の符号を付して重複する説明を省略する。
【００６２】
第２実施例の表示装置Ｙ１は、第１実施例の主要部をそのまま含み、目的と構成を加味したものである。
【００６３】
この第２実施例では、第２表示体３１Ａが単数又は複数個の照明手段３５を備えていることが必要である。また、照明手段３５と関連して透明部分４５も必要である。
望ましくは、照明手段３５は第１実施例と同様に反射板３４に環状方向に複数個配設されている。そして、照明手段３５から照射された光は、第２表示体３１Ａの前面板３２Ａの中央部に環状に設けた透明部分４５を通過する。
【００６４】
しかして、前記前面板３２Ａは、円形の中心開口３６ａと、内側の環状透明部分４５と、これに連設する外側の環状第２表示面３７Ａとから成る。第２表示面３７Ａは、第１実施例と同様に放射状に区分された複数個のシンボル表示領域３７ａ，３７ｂ、３７ｃ、３７ｄ、３７ｅ、３７ｆを有する。本実施例では、これらのシンボル表示領域は、全て光を通さない非透明部分である。もちろん、ゲーム如何によっては、シンボル表示領域の少なくとも一つを透明部分にすることも可能である。
【００６５】
ところで、第２実施例の付加的要件の目的は、第２表示体３１Ａの照明手段３５が、公転中の第１表示体５の第１表示面８に対して、第２表示体３１Ａの前面板３２Ａの透明部分４５を介して照射した場合に、第１表示面８のみを照らすことである。換言すれば、第１表示面８以外の余計な部分を照らさないことである。
【００６６】
何故ならば、第１表示体５の公転時の移動範囲は、第１表示体５の半径よりも大きくなるため（図７、図１１）、前記照明手段３５から照射された光が第１表示体５を食み出す。その結果、第１表示体５の第１表示面８以外の不必要な部分まで照明してしまい、いわゆる見栄えが悪くなるからである。
【００６７】
そこで、図８で示すように、第１表示体５の公転時の移動範囲をカバーすることができるように、照明対策用の環状隠し板４７を第１表示体５と第２表示体３１Ａとの間に配設し、かつ、該隠し板４７と偏心回転用回転板１８とを連結手段４６を介して一体的に連結する。
【００６８】
したがって、隠し板４７は、第１表示体５の公転時の移動範囲をカバーすることができる大きさ（寸法）に形成されている。図１０に示す隠し板４７は、第２実施例の一例である。この隠し板４７は、第２表示面３７Ａの前面板３２Ａよりも小さい反面、第１表示体５よりも大きい。
【００６９】
しかして、隠し板４７は、自転用駆動モータ２１の駆動軸２２の移動を許容する偏心孔４８と、この偏心孔４８を同心とする環状の透明部分４９と、この透明部分４９の外側に連結する外周端円形の光遮蔽部５０とから成り、前記光遮蔽部５０は、円形の透明部分４９の外周端から湾曲状に食み出ている。
【００７０】
そして、前記透明部分４９の適宜部位には、連結手段４６の先端面に設けた位置決め突起と嵌合する小孔５１が形成されている。連結手段４６の具体的構成は、発明の限定要件ではない。しかし、連結手段４６は隠し板４７が第１表示体５と第２表示体３１Ａとの間に位置するように所定の長さを有している。
【００７１】
また、特に符号を付さないが、連結手段４６は、例えば回転板１８の前面に固定される取付け板と、該取付け板から水平方向に延びると共に、前記突起４６ａを有する円柱状の取付け部分とから成る。円形の透明部分４９は、望ましくは第１表示体５よりもやや小さめのサイズに形成されている。
【００７２】
上記構成に於いて、第１表示体５は自転用駆動モータ２１を介して回転板１８に一体的に取付けられ、また隠し板４７は連結手段４６を介して回転板１８に一体的に取付けられているから、第１表示体５の公転時、隠し板４７は第１表示体５と共に公転する。そして、図１１で示すように、公転時、第１表示面８のみに照射（網掛けした環状部分）されているから、非常に見栄えが良い。
【００７３】
（１１）第３実施例
図１２乃至図１３を参照にして、第３実施例を説明する。なお、第２実施例と同様に第１実施例と同一の構成部分には、同一又は同様の符号を付して重複する説明を省略する。
この第３実施例の表示装置Ｙ２は、第１実施例の第２表示体３１を構成する前面板３２を遊技機Ｘ２の筐体１Ｂを構成する透明の前面板３２Ｂに置換した点が異なる。
【００７４】
すなわち、図１３で示すように、筐体１Ｂ内に支持部材２Ｂを介してユニット的に組み込まれた第２表示体３１Ｂは、環状支持板３３、反射板３４及び照明手段３５をそれぞれ有するものの、組合せ用シンボルを表示する前面板３２Ｂが存在しない。
【００７５】
一方、第２表示面３７の機能を有する前記前面板３２Ｂは、第１表示体５の第１表示面８をカバーする透明のカバー板（例えばガラス板）である。
【００７６】
したがって、この前面板３２Ｂは、第１表示体５の前方に位置するように筐体１Ｂの前面に設けられている。そして、この実施例では、前記第１表示面８の外周縁よりも外側に位置する適所（換言すれば、第２表示面３７の適宜箇所）に組合せ用の一つのシンボル（例えばポインター）Ｐが付されている。
【００７７】
このように、第１実施例の第２表示体３１の第２表示面３７を遊技機Ｘ２の透明の前面板３２Ｂに置換しても、第1実施例の目的を達成することができる。
【実施例】
【００７８】
本発明の実施の形態で示した各実施例に関して、以下の事項を付言する。
【００７９】
（１）実施例では、スロットマシンＸのサブゲームのシンボル組合せ用表示装置Ｙとして示したが、この使用例に限定されるものではなく、パチンコ機や他の遊技機用の表示装置への利用も可能である。また、表示装置Ｙを単独でメインゲーム用の表示装置として用いることも可能である、したがって、種々の利用が可能である。
【００８０】
（２）実施例では、第２表示体を固定して用いる例を示したが、第１表示体と同じように回転させる構造としても良い。この場合の駆動手段の駆動力の伝達は、第２表示体の外周にベルトを掛け回して伝達する構成、ギア構成、その他の方法でもよく、限定されるものではない。また、当選したシンボルの決定表示は、照明によるものではなく、適所に設けたポインターが指す位置を当該当選シンボルとして示すようにしてもよい。
【００８１】
（３）表示体の数は第１、第２の表示体に限らず、３個以上（複数）の表示体を配設して用いることもできる。
【００８２】
（４）表示体の形状も円形（円盤）に限らず、多角形状、その他任意に用いることもでき、また、サイズも同様に任意に設計することができる。
【００８３】
（５）小さい表示体の公転及び自転は同時に行ってもよく（同時説）、又、いずれか一方を順番に行うようにしてもよい（順位不同説）。さらに、公転した後に自転しても良い（異時説）。
【００８４】
（６）本発明にいうシンボルとは、配当や倍率などの数字・記号・図形・模様・色彩などを含み、それぞれの表示体に付すシンボルはゲーム内容を勘案の上、適宜に設定することができる。また、ゲーム性も上記実施例に限られるものではなく、任意に設定して採用することができる。
【産業上の利用可能性】
【００８５】
本発明は、主にゲーム機の業界で利用される。
【図面の簡単な説明】
【００８６】
図１乃至図７は本発明の第１実施例を示す各説明図。図８乃至図１１は本発明の第２実施例を示す各説明図。図１２及び図１３は本発明の第３実施例を示す各説明図。
【図１】発明の実施の環境を示す概略説明図（スロットマシンに適用した一例）。
【図２】表示体の一例を示す正面からの説明図。
【図３】一部（第２表示体の支持板、照明手段）を除く、主要部の分解斜視図。
【図４】主要部の概略説明図。
【図５】一部（第２表示体の支持板、照明手段）を含む大きい表示体（第２表示体）を中心とする説明図。
【図６】その他の部材（回転位置検出手段）の概略説明図。
【図７】可動表示体（第１表示体）の公転態様を示す概略説明図。
【図８】第２実施例の要部の概略説明図。
【図９】一部（第２表示体の支持板、照明手段）を除く主要部の分解斜視図。
【図１０】一部（第２表示体の支持板、照明手段）を含む大きい表示体（第２表示体）を中心とする説明図。
【図１１】公転時、小さい表示体に対する照明範囲を網掛けした説明図。
【図１２】第３実施例の斜視からの概略説明図。
【図１３】第３実施例の要部の概略説明図。
【符号の説明】
【００８７】
Ｘ…遊技機、Ｙ，Ｙ１，Ｙ２…遊技機用シンボル表示装置、Ｏ…公転用駆動モータ側の軸の中心線、1，１Ｂ…筐体、２，２Ｂ…支持部材、５…第１表示体（一方の表示体）、８…第１表示面（小さい表示面）、８ａ，８ｂ、８ｃ、８ｄ、８ｅ、８ｆ…シンボル表示領域、１１…偏心回転機構、１２…公転用駆動手段、１４…駆動軸、１５…中心軸（軸）、１８…偏心回転用回転板、１９…動力伝達手段、２１…自転用駆動手段、２２…駆動軸、３１，３１Ａ，３１Ｂ…第２表示体（他方の表示体）、３２，３２Ａ，３２Ｂ…第２表示体の前面板、３３…環状支持板、３５…照明手段、３６…中心開口、３７，３７Ａ…第２表示面（大きい表示面）、３９…制御手段、４０…記憶部、４０ａ…実行プログラム、４５…環状透明部分、４６…連結手段、４７…照明対策用隠し板、４９…透明部分、Ｐ…シンボル。
【図１】
2006305069.tif 000003
【図２】
2006305069.tif 000004
【図３】
2006305069.tif 000005
【図４】
2006305069.tif 000006
【図５】
2006305069.tif 000007
【図６】
2006305069.tif 000008
【図７】
2006305069.tif 000009
【図８】
2006305069.tif 000010
【図９】
2006305069.tif 000011
【図１０】
2006305069.tif 000012
【図１１】
2006305069.tif 000013
【図１２】
2006305069.tif 000014
【図１３】
2006305069.tif 000015